(57)【特許請求の範囲】
【請求項１】
底部と該底部を囲むように形成された周壁部とを有する梱包用トレーにおいて、底部を構成する接触領域と非接触領域のうち、接触領域が、底部の中央領域に位置する中央十字状凸部と、底部の４つの角部付近に位置する角部凸部と、中央十字状凸部と角部凸部とを連結する帯状の連結凸部とにより構成されているとともに、周壁部を構成する壁部と底部とにより形成される隅部には、周壁部及び底部を、梱包用トレーの内部方向に膨出させることにより、載置部材が形成されており、更に、載置部材が配設されている壁部領域には、載置部材への衝撃を緩衝するするための、載置部材の横幅と同じか或いは載置部材の横幅より幅広の凹部が形成されており、更にまた、載置部材間に位置する壁部の中央領域が、外側に張り出した形状に形成されていることを特徴とする梱包用トレー。
【請求項２】
周壁部の壁部に形成された載置部材が、壁部の上端部の近傍から略水平方向に延在する上部水平部と、該上部水平部の先端から下方で、且つ、上部水平部から遠ざかる方向に傾斜して延在する傾斜部と、該傾斜部の下端から略垂直に延在する移動規制壁部と、該移動規制壁部の下端から水平方向に延在する載置部と、該載置部の先端から下方に底部まで達する略垂直な垂直部と、壁部に略垂直な相対する側壁部とにより構成されているとともに、移動規制壁部と載置部とにより形成される隅部には、移動規制壁部に沿って、凹部が形成されており、更に、壁部の上端の内側角部が、載置部材を構成する傾斜部の延長線より、外側に位置するように構成されていることを特徴とする請求項１に記載の梱包用トレー。
【発明の詳細な説明】
【０００１】
【発明の属する技術分野】
本発明は、冷蔵庫、洗濯機等の電気製品や空調機器や家具等の大型の物品を梱包する際に、物品の底部や頭部等に配置される梱包用トレーに関するものである。
【０００２】
【従来の技術】
従来、物品の底部が挿入可能な凹部を有するとともに、該凹部が、断面形状が略逆Ｕ字状で、下方が開放された周壁部材で囲まれた梱包用トレーが知られている（例えば、特開平９−５８７５１号公報、特開２００１−１５１２６６号公報等）。
【０００３】
【発明が解決しようとする課題】
上述した従来の梱包用トレーにおいては、衝撃が、梱包用トレーに横方向から加わった場合には、断面形状が略逆Ｕ字状で、下方が開放された周壁部材により、その衝撃が吸収され緩和される。ところで、輸送途中で、梱包された物品が落下する場合があるが、このような落下時には、梱包用トレーのコーナーに、大きな衝撃が加わることになるが、従来の梱包用トレーの場合には、衝撃を吸収緩和する周壁部材が、断面形状が略逆Ｕ字状で、下方が開放された構造であるため、衝撃が、周壁部材の一枚の板材からなる外壁の下端部に加わることになり、従って、梱包用トレーが、このような衝撃を、十分に吸収緩和することができず、梱包用トレーや梱包された物品が損傷するという問題があった。
【０００４】
また、梱包用トレーに物品を載置するとともに、物品の上部にカバーを配置し、その後、結束紐により緊諦するが、従来の梱包用トレーの場合には、周壁部材が、断面形状が略逆Ｕ字状で、下方が開放された構造であるため、結束紐による緊諦により、周壁部材の一枚の板材からなる外壁が変形したり破損したりするために、強固に緊諦することができないという問題があった。
【０００５】
本発明の目的は、上述した従来の梱包用トレーが有する課題を解決することにある。
【０００６】
【課題を解決するための手段】
本発明は、上述した目的を達成するために、底部と該底部を囲むように形成された周壁部とを有する梱包用トレーにおいて、第１には、底部を構成する接触領域と非接触領域のうち、接触領域が、底部の中央領域に位置する中央十字状凸部と、底部の４つの角部付近に位置する角部凸部と、中央十字状凸部と角部凸部とを連結する帯状の連結凸部とにより構成されているとともに、周壁部を構成する壁部と底部とにより形成される隅部には、周壁部及び底部を、梱包用トレーの内部方向に膨出させることにより、載置部材が形成されており、更に、載置部材が配設されている壁部領域には、載置部材への衝撃を緩衝するするための、載置部材の横幅と同じか或いは載置部材の横幅より幅広の凹部が形成されており、更にまた、載置部材間に位置する壁部の中央領域を、外側に張り出した形状に形成したものであり、第２には、周壁部の壁部に形成された載置部材が、壁部の上端部の近傍から略水平方向に延在する上部水平部と、該上部水平部の先端から下方で、且つ、上部水平部から遠ざかる方向に傾斜して延在する傾斜部と、該傾斜部の下端から略垂直に延在する移動規制壁部と、該移動規制壁部の下端から水平方向に延在する載置部と、該載置部の先端から下方に底部まで達する略垂直な垂直部と、壁部に略垂直な相対する側壁部とにより構成されているとともに、移動規制壁部と載置部とにより形成される隅部には、移動規制壁部に沿って、凹部が形成されており、更に、壁部の上端の内側角部を、載置部材を構成する傾斜部の延長線より、外側に位置するように構成したものである。
【０００７】
【実施例】
以下に、本発明の実施例について説明するが、本発明の趣旨を越えない限り何ら、本実施例に限定されるものではない。
【０００８】
１は、平面形状が略長方形の底部であり、２は、底部１の周縁から、外側に、若干、傾斜した、相対する長壁部２ａと相対する短壁部２ａとから形成された周壁部である。周壁部２の相対する長壁部２ａと底部１とにより形成される隅部には、所定の間隔を置いて、長壁部側載置部材３が形成されており、また、周壁部２の相対する短壁部２ｂと底部１とにより形成される隅部の略中央部には、短壁部側載置部材４が形成されている。長壁部側載置部材３及び短壁部側載置部材４は、周壁部２及び底部１を、部分的に、梱包用トレーの内部方向に膨出させることにより形成されており、従って、長壁部側載置部材３及び短壁部側載置部材４の下方は、空間部として形成されている。
【０００９】
本実施例においては、上述した長壁部側載置部材３が、相対する長壁部２ａに、それぞれ、２個ずつ形成されているが、３個以上形成することもできる。また、短壁部側載置部材４が、相対する短壁部２ａに、それぞれ、１個ずつ形成されているが、必要に応じて、短壁部２ａへの短壁部側載置部材４の形成を省略することもできるし、或いは、相対する短壁部２ａに、それぞれ、２個以上の短壁部側載置部材４を形成することもできる。長壁部側載置部材３及び短壁部側載置部材４の数は、梱包用トレーの大きさ及び梱包される物品の大きさや重量等を、適時、考慮して決定することができる。
【００１０】
相対する長壁部２ａに形成されている長壁部側載置部材３は、長壁部２ａの上端部の近傍から略水平方向に延在する上部水平部３ａと、上部水平部３ａの先端から下方で、且つ、上部水平部３ａから遠ざかる方向に傾斜して延在する傾斜部３ｂと、傾斜部３ｂの下端から略垂直に延在する移動規制壁部３ｃと、移動規制壁部３ｃの下端から水平方向に延在する載置部３ｄと、載置部３ｄの先端から下方に底部１まで達する略垂直な垂直部３ｅと、長壁部２ａに略垂直な、相対する側壁部３ｆとにより構成されている。また、移動規制壁部３ｃと載置部３ｄとにより形成される隅部には、移動規制壁部３ｃに沿って、凹部３ｇが形成されている。この凹部３ｇの移動規制壁部３ｃ側の側面は、移動規制壁部３ｃと面一に形成されている。このような凹部３ｇを形成することにより、載置部３ｄに載置される物品の直角や鋭角な角部が当接して、載置部３ｄが削れるようなことを防止することができる。なお、物品の角部が円弧状やアールを有し、角部が当接しても、載置部３ｄが削れる恐れがない場合には、このような凹部３ｇを設ける必要はない。
【００１１】
相対する短壁部２ｂに形成されている短壁部側載置部材４は、短壁部２ｂの上端部の近傍から略水平方向に延在する上部水平部４ａと、上部水平部４ａの先端から下方に略垂直に延在する移動規制壁部４ｂと、移動規制壁部４ｂの下端から水平方向に延在する載置部４ｃと、載置部４ｄの先端から下方に底部１まで達する略垂直な垂直部４ｄと、短壁部２ｂに略垂直な、相対する側壁部４ｅとにより構成されている。また、移動規制壁部４ｂと載置部４ｃとにより形成される隅部には、移動規制壁部４ｂに沿って、凹部４ｆが形成されている。この凹部４ｆの移動規制壁部４ｂ側の側面は、移動規制壁部４ｂと面一に形成されている。このような凹部４ｆを形成することにより、載置部４ｃに載置される物品の直角や鋭角な角部が当接して、載置部４ｃが削れるようなことを防止することができる。なお、物品の角部が円弧状やアールを有し、角部が当接しても、載置部４ｃが削れる恐れがない場合には、このような凹部４ｃを設ける必要はない。また、上記の上部水平部４ａには、短壁部２ｂに沿って、適当数の凹部４ａ１が形成されている。上部水平部４ａに、このような適当数の凹部４ａ１を形成することにより、物品が梱包された梱包用トレーに落下等により、短壁部２ｂに衝撃が加わっても、上部水平部４ａが変形し易くなり、従って、載置部４ｃに載置されている物品への衝撃を緩衝することができる。なお、上記の凹部４ａ１を、上述した長壁部側載置部材３の上部水平部３ａに形成することもできる。
【００１２】
長壁部２ａの長壁部側載置部材３が配設されている領域には、長壁部側載置部材３の横幅（長壁部２ａに略垂直な相対する側壁部３ｆの間隔）と同じか、それより若干、幅広の凹部５が形成されている。このような凹部５を形成することにより、物品が梱包された梱包用トレーの長壁部２ａに、落下等により衝撃が加わっても、物品が載置される載置部３ｄが形成されている長壁部側載置部材３へ、直接、衝撃が加わることが防止できるので、物品への衝撃を緩和することができる。上記の凹部は、必要に応じて、短壁部側載置部材４が配設されている短壁部２ｂに形成することもできる。また、上述した凹部５には、梱包用トレーにより梱包された物品を緊諦する紐やバンド等の緊諦部材を挿入することができる。凹部５に、緊諦部材を挿入し、梱包用トレーに梱包されている物品を緊諦した際には、長壁部側載置部材３が突っ張り部材のような機能を奏し、物品を損傷することなく、より強く緊諦することができる。
【００１３】
また、長壁部側載置部材３間に位置する長壁部２ａの中央領域２ａ’の下端（底部１との境界線）の一部が、外側に張り出した形状に形成されている。本実施例においては、中央領域２ａ’の下端の中央部２ａ１が外側に張り出しており、中央部２ａ１の両側に位置するサイド部２ａ２が、他の長壁部２ａ方向に向かって傾斜している。そして、長壁部２ａの中央領域２ａ’の上端２ａ３と、外側に張り出した中央部２ａ１及び傾斜したサイド部２ａ２とからなる下端は、屈曲壁２ａ”により連結されている。このような屈曲壁２ａ”を形成することにより、物品が梱包された梱包用トレーが落下等した際に、特に、衝撃が加わる確率が高く、しかも、変形し易い、長壁部２ａの中央領域２ａ’の強度や曲げ剛性が高まるので、載置部３ｄに載置されている物品への衝撃を緩和することができる。
【００１４】
底部１は、梱包用トレーが、平坦な床等に載置された際に、床等と接触する、底部１を下方に膨出させることにより形成された接触領域１ａと、接触領域１ａの周辺領域に形成された床等と接触しない非接触領域１ｂとの２段に形成されている。下方に膨出した接触領域１ａは、底部１の中央領域に位置する中央十字状凸部１ａ１と、底部１の４つの角部付近に位置する角部凸部１ａ２と、中央十字状凸部１ａ１と角部凸部１ａ２を連結する帯状の連結凸部１ａ３とから構成されている。底部１の中央領域に位置する中央十字状凸部１ａ１は、相対する長壁部２ａに形成されている長壁部側載置部材３間に位置する長壁部２ａの中央領域２ａ’の略下方まで延在する、短壁部２ｂに沿った部分１ａ１’と、相対する短壁部２ｂに形成されている短壁部側載置部材４の略下方まで延在する、長壁部２ａに沿った部分１ａ１”とにより形成されている。このように、底部１を、接触領域１ａと非接触領域１ｂとの２段に形成することにより、物品が梱包された梱包用トレーが底部１から落下した際に、このような段差のない底部を有する従来の梱包用トレーに比べて、物品への衝撃を緩和することができる。また、底部１の４つの角部付近に角部凸部１ａ２を形成したことにより、梱包用トレーの角部からの落下による衝撃を吸収することができ、従って、物品への衝撃を緩和することができる。更に、底部１の中央領域に位置する中央十字状凸部１ａ１と底部１の４つの角部付近に位置する角部凸部１ａ２とを連結する帯状の連結凸部１ａ３を形成したことにより、物品が収容された梱包用トレーを、ローラーコンベヤーに載置し搬送する際に、比較的、小さな角部凸部１ａ２が  、ローラーコンベヤー間に落ち込んで、円滑な搬送が阻害されたり、或いは、物品が収容された梱包用トレーが傾斜するようなことを防止することができる。なお、梱包用トレーを、ローラーコンベヤーにより搬送しないような場合には、上記の帯状の連結凸部１ａ３を省略することもできる。
【００１５】
周壁部２を構成する長壁部２ａの上端の内側角部２ａ４は、長壁部側載置部材３を構成する傾斜部３ｂの延長線Ｌ１より、外側（周壁部２の長壁部２ａ側）に位置するように構成されている。図４及び図５に点線で示されているように、長壁部２ａが落下等の外力により、載置部３ｄに載置されている物品Ａ方向に傾斜した際には、長壁部２ａの上端の内側角部２ａ４が、長壁部側載置部材３を構成する傾斜部３ｂの延長線Ｌ１より、外側に位置するために、最初に、物品Ａの垂直側壁部ａ１には、長壁部２ａの上端の角張った内側角部２ａ４が、当接することなく、平面状の傾斜部３ｂが、面接触することになり、従って、平面状の傾斜部３ｂにより、物品Ａが損傷するようなことが防止できる。長壁部２ａの上端の内側角部２ａ４が、長壁部側載置部材３を構成する傾斜部３ｂの延長線Ｌ１より、内側に位置している場合には、最初に、物品Ａの垂直側壁部ａ１には、長壁部２ａの上端の角張った内側角部２ａ４が当接することになり、従って、物品Ａが損傷し易くなる。
【００１６】
なお、６は、周壁部２を構成する長壁部２ａ及び短壁部２ｂの上端より、外側に略水平状に延在する周辺フランジであり、７は、梱包用トレーの方向性を示す矢印であり、本実施例においては、矢印７の方向が、長壁部２ａであることを示している。また、上述した長壁部側載置部材３を構成する載置部３ｄ及び短壁部側載置部材４を構成する載置部４ｃは、載置部３ｄ、４ｃに載置される物品Ａの下面に、突起等が垂下されている場合には、このような突起等を回避するために、適当な凹部等を形成することができる。
【００１７】
また、上述した梱包用トレーは、射出成形やブロー成形や真空成形等により、合成樹脂で一体に成形されている。
【００１８】
物品Ａを、上述した梱包用トレーを用いて梱包する際には、物品Ａを、垂直側壁部ａ１が、長壁部側載置部材３の移動規制壁部３ｃ及び短壁部側載置部材４の移動規制壁部４ｂに接触或いは接近するように、梱包用トレーの長壁部側載置部材３の載置部３ｄ及び短壁部側載置部材４の載置部４ｃに載置する。また、物品Ａの上部に、図示されてないカバーを載置するが、このカバーは、上述した構成を有する梱包用トレーでもよく、この場合には、梱包用トレーを逆さにして載置する。次いで、紐やバンド等の緊諦部材を、長壁部２ａに形成された凹部５等に挿入するようにして、緊諦部材により、梱包用トレー、物品Ａ及びカバーを、一緒に、緊諦する。このようにして、物品Ａを梱包した後に、梱包用トレー、物品Ａ及びカバーの全体を、熱収縮性フィルム等のフィルムで被覆する。勿論、梱包する前に、物品Ａのみを、熱収縮性フィルム等のフィルムで被覆し、梱包後のフィルムによる被覆を省略することもできる。上記のように、物品Ａを、垂直側壁部ａ１が、長壁部側載置部材３の移動規制壁部３ｃ及び短壁部側載置部材４の移動規制壁部４ｂに接触或いは接近するように配置することにより、物品Ａが、横方向に移動しようとしても、移動規制壁部３ｃ、４ｃに当接し、その移動が抑制されるので、安定した状態で、物品Ａを梱包し、搬送することができる。
【００１９】
なお、上述したように、梱包用トレーを逆さにして物品の上部に被せ、梱包用トレーをカバーとして使用する場合には、周壁部２の相対する短壁部２ｂの中央部に凹部８を設けて、逆さに梱包用トレーの凹部８に手を挿入して、持ち上げたり、物品の上部に被せたりする等の作業を行うように構成することもできる。
【００２０】
また、上述した実施例には、周壁部２の相対する長壁部２ａと底部１とにより形成される隅部に、所定の間隔を置いて、２個の長壁部側載置部材３が形成されている例が示されているが、周壁部２の相対する長壁部２ａと底部１とにより形成される隅部の略中央部領域に、１個の長壁部側載置部材３のみを配設することもできる。この場合には、上述した実施例と同様に、長壁部２ａの長壁部側載置部材３が配設されている領域に、凹部５を形成することも、或いは、１個の長壁部側載置部材３が配設された長壁部２ａの領域に、凹部５を形成することなく、他の長壁部２ａの領域に、凹部５を形成することもできる。
【００２１】
【発明の効果】
本発明は、以上説明した構成を有しているので、以下に記載する効果を奏するものである。
【００２２】
底部を、接触領域と非接触領域とにより構成したので、物品が梱包された梱包用トレーが底部から落下した際に、このような段差のない底部を有する従来の梱包用トレーに比べて、物品への衝撃を緩和することができる。
【００２３】
接触領域を、底部の中央領域に形成された中央凸部と底部の４つの角部に形成された角部凸部とにより構成したので、梱包用トレーの角部からの落下による衝撃を吸収することができ、従って、物品への衝撃を緩和することができる。
【００２４】
底部の中央領域に形成された中央凸部と底部の４つの角部に形成された角部凸部とを連結凸部により連結したので、角部凸部のローラーコンベヤー間への落ち込みを防止することができ、従って、円滑な搬送が阻害されたり、或いは、物品が収容された梱包用トレーが傾斜するようなことを防止することができる。
【００２５】
載置部材が配設されている壁部に、凹部を形成したので、物品が梱包された梱包用トレーの壁部に、落下等により衝撃が加わっても、物品が載置されている載置部材へ、直接、衝撃が加わることが防止できるので、物品への衝撃を緩和することができる。
【００２６】
載置部材を、周壁部を構成する相対する長壁部に形成したので、物品を、安定した状態で梱包することができるとともに、長壁部の強度や剛性を高めることができる。
【００２７】
長壁部の上端の内側角部が、載置部材を構成する傾斜部の延長線より、外側に位置するように構成したので、長壁部が変形した際に、長壁部の上端の内側角部が、物品に当接して、物品が損傷するようなことが防止できる。
【００２８】
載置部材間に位置する長壁部の中央領域を、外側に張り出したので、物品が梱包された梱包用トレーが落下等した際に、特に、衝撃が加わる確率が高く、しかも、変形し易い、長壁部の中央領域の強度や曲げ剛性が高まるので、載置部に載置されている物品への衝撃を緩和することができる。
【００２９】
載置部材を構成する上部水平部に、適当数の凹部を形成したので、物品が梱包された梱包用トレーに、落下等により衝撃が加わっても、上部水平部の変形により、載置部に載置されている物品への衝撃を緩衝することができる。
【図面の簡単な説明】
【図１】図１は本発明の梱包用トレーの斜視図である。
【図２】図２は本発明の梱包用トレーの平面図である。
【図３】図３は本発明の梱包用トレーの裏面斜視図である。
【図４】図４は本発明の梱包用トレーの短壁部に沿った垂直断面図である。
【図５】図５は図４の部分拡大断面図である。
【図６】図６は本発明の梱包用トレーの長壁部に沿った垂直断面図である。
【符号の説明】
Ａ・・・・・・・・・・・・物品
１・・・・・・・・・・・・底部
２・・・・・・・・・・・・周壁部
３・・・・・・・・・・・・長壁部側載置部材
４・・・・・・・・・・・・短壁部側載置部材
【図１】
0003814541.tif 000002
【図２】
0003814541.tif 000003
【図３】
0003814541.tif 000004
【図４】
0003814541.tif 000005
【図５】
0003814541.tif 000006
【図６】
0003814541.tif 000007